(57)【要約】【課題】先端部分が狭窄部に捕捉されてスタックする状況を回避でき、狭窄部における充分な通過性を確保することのできるガイドワイヤを提供する。【解決手段】ガイドワイヤ２００は、シャフト２０とシャフト２０の先端部を巻回するコイル体２３０とを有している。コイル体２３０は、基端から先端方向にかけて直線状態をなす直線部２３２と、直線部２３２の先端側に設けられている湾曲部２３４とを有し、湾曲部２３４の外側（湾曲部２３４と直線部２３２との境界箇所Ｋ）の撚線２４２同士が互いに接している。【選択図】図４
2015171519.tif 000002
【特許請求の範囲】
【請求項１】
コアシャフトと、前記コアシャフトの先端部を巻回するコイル体とを有するガイドワイヤであって、
前記コイル体は、複数の素線を撚り合わせた撚線を螺旋状に複数本巻回してなり、かつ、
前記コイル体は、基端から先端方向にかけて直線状態をなす直線部と、前記直線部の先端側に設けられている湾曲部とを有し、
前記湾曲部の外側は、前記撚線同士が互いに接していることを特徴とするガイドワイヤ。
【請求項２】
請求項１に記載のガイドワイヤであって、
前記湾曲部を形成する第１撚線の撚り角は、前記直線部を形成する第２撚線の撚り角よりも大きいことを特徴とするガイドワイヤ。
【請求項３】
請求項２に記載のガイドワイヤであって、
前記湾曲部を形成する前記第１撚線同士は略平行に配置されてなる部分を有することを特徴とするガイドワイヤ。
【請求項４】
請求項２又は請求項３に記載のガイドワイヤであって、
前記湾曲部を形成する前記第１撚線同士は、互いに圧接されていることを特徴とするガイドワイヤ。
【請求項５】
請求項１〜請求項４のいずれか一つに記載のガイドワイヤであって、
前記直線部は、前記湾曲部側に向かうに従って径が細くなることを特徴とするガイドワイヤ。
【請求項６】
コアシャフトと、前記コアシャフトの先端部を巻回するコイル体とを有するガイドワイヤであって、
前記コイル体は、少なくとも１本の素線を螺旋状に巻回してなり、かつ、
前記コイル体は、基端から先端方向にかけて直線状態をなす直線部と、前記直線部の先端側に設けられている湾曲部とを有し、
前記湾曲部の外側は、前記素線同士が互いに接していることを特徴とするガイドワイヤ。
【発明の詳細な説明】
【技術分野】
【０００１】
本発明は、治療や検査を目的として体腔内に挿入される医療器具として用いられるガイドワイヤに関する。
【背景技術】
【０００２】
従来、治療や検査のために、血管、消化管、尿管等の管状器官や体内組織に挿入して使用される医療器具として、様々なものが提案されている。
【０００３】
例えば特許文献１には、コアワイヤと、コアワイヤの先端部に巻回されているコイル体とを備えるガイドワイヤが開示されている。そして、コイル体は、基端から先端方向にかけて直線状態をなす直線部と、直線部の先端側に設けられている湾曲部とを有している。
【先行技術文献】
【特許文献】
【０００４】
【特許文献１】特表２００７−５０１６４８号公報
【発明の概要】
【発明が解決しようとする課題】
【０００５】
慢性完全閉塞（ＣＴＯ：ｃｈｒｏｎｉｃ ｔｏｔａｌ ｏｃｃｌｕｓｉｏｎ）と呼ばれる狭窄部に代表される血管の狭窄が比較的重篤な場合には、狭窄部に存在する僅かな隙間にガイドワイヤを通過させるべく、上述した特許文献１に記載のガイドワイヤのように先端から極めて短い範囲内で、シェイピングを行っておくことが好ましい。
しかしながら、このようなシェイピングにより湾曲部分を有するガイドワイヤにおいては、湾曲部分に位置する素線間の隙間に、例えば狭窄部等の石灰化した病変部の破片等が侵入して干渉し、ガイドワイヤの先端が捕捉されて動きにくくなる、所謂、スタック（ｓｔｕｃｋ）する状況になる場合がある。このような状況は、ガイドワイヤが狭窄部を通過する際の通過性を低下させることになる。
上述した特許文献１に記載のガイドワイヤにおいても、湾曲部と病変部との干渉に起因して狭窄部を通過する際の通過性を充分に確保することができない可能性が有り、この点において改良の余地があった。
【０００６】
本発明は、このような事情に鑑みてなされたものであり、先端部分が狭窄部に捕捉されてスタックする状況を回避でき、狭窄部における充分な通過性を確保することのできるガイドワイヤを提供することを課題とする。
【課題を解決するための手段】
【０００７】
上記課題を解決するために、本発明の一態様に係るガイドワイヤは、以下のような特徴を有する。
【０００８】
本発明の態様１に係るガイドワイヤは、コアシャフトと、コアシャフトの先端部を巻回するコイル体とを有するガイドワイヤであって、コイル体は、複数の素線を撚り合わせた撚線を螺旋状に複数本巻回してなり、かつ、コイル体は、基端から先端方向にかけて直線状態をなす直線部と、直線部の先端側に設けられている湾曲部とを有し、湾曲部の外側は、撚線同士が互いに接していることを特徴とする。
【０００９】
本発明の態様２は、態様１に記載のガイドワイヤであって、湾曲部を形成する第１撚線の撚り角は、直線部を形成する第２撚線の撚り角よりも大きいことを特徴とする。
【００１０】
本発明の態様３は、態様２に記載のガイドワイヤであって、湾曲部を形成する第１撚線同士は略平行に配置されてなる部分を有することを特徴とする。
【００１１】
本発明の態様４は、態様２又は態様３に記載のガイドワイヤであって、湾曲部を形成する第１撚線同士は、互いに圧接されていることを特徴とする。
【００１２】
本発明の態様５は、態様１〜態様４のいずれか一つに記載のガイドワイヤであって、直線部は、湾曲部側に向かうに従って径が細くなることを特徴とする。
【００１３】
本発明の態様６に係るガイドワイヤは、コアシャフトと、コアシャフトの先端部を巻回するコイル体とを有するガイドワイヤであって、コイル体は、少なくとも１本の素線を螺旋状に巻回してなり、かつ、コイル体は、基端から先端方向にかけて直線状態をなす直線部と、直線部の先端側に設けられている湾曲部とを有し、湾曲部の外側は、素線同士が互いに接していることを特徴とする。
【発明の効果】
【００１４】
態様１のガイドワイヤに用いられるコイル体においては、湾曲部の外側の撚線同士が互いに接している。仮に、湾曲部の外側の素線同士が離間して間隔が設けられている場合には、例えば狭窄部等の石灰化した病変部の破片等が素線間に入り込んで干渉し、ガイドワイヤの先端部が捕捉され、狭窄部を通過する際の通過性を低下させる可能性がある。しかしながら、本態様においては、湾曲部の外側の撚線同士が互いに接しているため、病変部の破片等が湾曲部における撚線間に入り込むことが防止される。その結果、ガイドワイヤの先端部が捕捉されることがほとんどなく、狭窄部を通過する際の通過性を充分に確保することができる。態様１のガイドワイヤにおいては、コイル体は、複数の素線を撚り合わせた撚線を螺旋状に複数本巻回してなり、撚線同士が強固に密接しているため、湾曲部を形成するに際しても撚線同士が離間することなく隙間が発生し難い。そのため、湾曲部における病変部の破片等の侵入を確実に防止することが可能となる。
【００１５】
また、ガイドワイヤの先端部分（湾曲部）に応力が生じた際には、撚線間に加えてその撚線を形成する素線間においても相対的に微小な移動が可能であるため、自由度があり、柔軟性が高いうえ、塑性変形し難く、良好な復元性が確保される。その結果、３次元に複雑に屈曲する血管においても高い追従性及び選択性が得られる。さらに、ガイドワイヤの先端部分が硬度の高い病変部に衝突したとしても、その際の応力負荷によって折れ曲がってしまうことがなく、継続的な使用が可能となる。
【００１６】
態様２のガイドワイヤにおいては、湾曲部を形成する第１撚線の撚り角は、前記直線部を形成する第２撚線の撚り角よりも大きい。これによれば、ガイドワイヤの先端部を湾曲させたとき、湾曲部を形成する第１撚線が鉛直方向に沿って立ち上がり、直線部を形成する第２撚線を軸線方向において圧接することとなる。すなわち、ガイドワイヤの先端部を湾曲させたときに撚線間に隙間が形成されやすい箇所（直線部と湾曲部との境界箇所）においても、撚線同士の接触を確保することが可能となる。
【００１７】
態様３のガイドワイヤにおいては、湾曲部を形成する第１撚線同士が略平行に配置されてなる部分を有する。すなわち、湾曲部を形成する第１撚線が隣り合う第１撚線に対して相対的にずれて離間することが防止されており、湾曲部を形成する撚線間に隙間が形成されていない。これにより、病変部の破片等が湾曲部における撚線間に入り込むことが防止されるため、ガイドワイヤの先端部が捕捉されることがほとんどなく、狭窄部を通過する際の良好な通過性が確保される。
【００１８】
態様４のガイドワイヤにおいては、湾曲部を形成する第１撚線同士が圧接されている。これによれば、ガイドワイヤの湾曲部を形成する撚線間における隙間の発生を確実に防止することができる。
【００１９】
態様５においては、コイル体の直線部が湾曲部側（先端側）に向かうに従って径が細くなる。これによれば、直線部を形成する第２撚線の撚り角が湾曲部側に向かうにつれて小さくなり、湾曲部を形成する第１撚線を圧接するようになる。すなわち、湾曲部と直線部との境界部分において撚線同士が強固に圧接し合うこととなる。その結果、湾曲部と直線部との境界部分に位置する撚線間における隙間の発生をより確実に防止することができる。
【００２０】
また、湾曲部の根元箇所の径が最も細くなり、これに伴って湾曲部の柔軟性が高められる。従って、３次元に複雑に曲折する血管内においても、ガイドワイヤの先端部の血管追従性や血管選択性を充分に確保することができる。
【００２１】
加えて、本態様におけるガイドワイヤの直線部においては、先端側から基端側へと径が太くなるため、押込み操作を伴う場合には血管壁等に対する摺動抵抗が基端側へ向かうにつれて大きくなる。このため、仮にガイドワイヤの先端部分（湾曲部）が血管壁を貫通して血管外へと突き出され、その後も操作を継続している場合には、血管壁（貫通穴の壁）に対する直線部の摺動抵抗が次第に大きくなることでそうした触感が操作者の手元に伝達され得る。
【００２２】
その結果、ガイドワイヤの押込み操作を一旦中断し、正規の血管内へと同ガイドワイヤの先端部分を再度導入することが容易となる。すなわち、本態様のガイドワイヤによれば、安全且つ正確に目的部位への挿入が可能になる。
【００２３】
態様６のガイドワイヤに用いられるコイル体においては、湾曲部の外側の素線同士が互いに接している。仮に、湾曲部の外側の素線同士が離間して間隔が設けられている場合には、例えば狭窄部等の石灰化した病変部の破片等が素線間に入り込んで干渉し、ガイドワイヤの先端部が捕捉され、狭窄部を通過する際の通過性を低下させる可能性がある。しかしながら、本態様においては、湾曲部の外側の素線同士が互いに接しているため、病変部の破片等が湾曲部における素線間に入り込むことが防止される。その結果、ガイドワイヤの先端部が捕捉されることがほとんどなく、狭窄部を通過する際の通過性を充分に確保することができる。
【図面の簡単な説明】
【００２４】
【図１】図１は、本発明のガイドワイヤの第１実施形態を示す部分断面拡大図である。
【図２】図２は、本発明のガイドワイヤの第２実施形態を示す部分断面拡大図である。
【図３】図３は、図２におけるコイル体のＡ−Ａ断面図である。
【図４】図４は、本発明のガイドワイヤの第３実施形態を示す部分断面拡大図である。
【図５】図５は、図４におけるコイル体の湾曲部及びその近傍を示す部分拡大図である。
【図６】図６は、本発明のガイドワイヤの第４実施形態を示す部分断面拡大図である。
【図７】図７は、図６におけるコイル体の湾曲部及びその近傍を示す部分拡大図である。
【発明を実施するための形態】
【００２５】
まず、本発明のコアシャフトを図面に示す好適実施形態に基づいて説明する。
[第１実施形態]
図１は、本発明のガイドワイヤの第１実施形態を示す部分断面拡大図である。図１において、左側が体内に挿入される先端側であり、右側が医師等の手技者によって操作される基端側である。なお、本図は、ガイドワイヤを模式的に図示したものであり、実際の寸法比とは異なる。
【００２６】
図１に示すガイドワイヤ１０は、例えば、心血管内へのカテーテルの配置を容易にするために使用されるものである。ガイドワイヤ１０は、コアシャフト２０と、コアシャフト２０の先端部外周を覆うコイル体３０とを備えている。
【００２７】
まず、コアシャフト２０について説明する。コアシャフト２０は、先端から基端側に向かって順に、細径部２２ａ、テーパ部２２ｂ及び太径部２２ｃを有している。細径部２２ａは、コアシャフト２０の最も先端側の部分であり、コアシャフト２０の中で最も柔軟な部分である。この細径部２２ａは、プレス加工により平板状に形成されている。テーパ部２２ｂは、断面が円形のテーパ形状をなしており、先端側に向けて縮径している。太径部２２ｃは、細径部２２ａよりも大きな径を有している。
【００２８】
コアシャフト２０を形成する材料としては、特に限定されるものではないが、例えば、ステンレス鋼（ＳＵＳ３０４）、Ｎｉ−Ｔｉ合金等の超弾性合金、ピアノ線、コバルト系合金等を使用することができる。
【００２９】
次に、コイル体３０について説明する。本実施形態におけるコイル体３０は、素線が螺旋状に巻回されてなる単条コイルである。
【００３０】
図１に示すように、コイル体３０の先端は、先端側接合部１１によってコアシャフト２０の先端に固着されている。コイル体３０の基端は、基端側接合部１３によってコアシャフト２０に固着されている。先端側接合部１１及び基端側接合部１３を形成する材料としては特に限定されないが、例えば、Ｓｎ−Ｐｂ合金、Ｐｂ−Ａｇ合金、Ｓｎ−Ａｇ合金、Ａｕ−Ｓｎ合金等の金属ロウが挙げられる。
【００３１】
コイル体３０は、基端から先端方向にかけて直線状態をなす直線部３２と、その直線部３２の先端側に設けられている湾曲部３４とを有している。湾曲部３４は、直線部３２の軸線方向Ｎに対して所定角度湾曲した状態で設けられている。
【００３２】
本実施形態においては、湾曲部３４の外側に位置する素線３４ａ同士が互いに接している。すなわち、湾曲部３４の外側部分に位置する素線３４ａのうち、隣接する素線の間には隙間が生じていない。
なお、湾曲部３４の外側とは、軸線方向Ｎに対して湾曲している方向の反対方向側であり、後述する実施形態においても同様である。
【００３３】
ここで、仮に、湾曲部３４の外側の素線３４ａ同士が離間して間隔が設けられている場合には、例えば狭窄部等の石灰化した病変部の破片等が素線３４ａ間に入り込んで干渉し、ガイドワイヤ１０の先端部が捕捉され、狭窄部を通過する際の通過性を低下させる可能性がある。しかしながら、本実施形態においては、湾曲部３４の外側の素線３４ａ同士が互いに接しているため、病変部の一部が湾曲部３４における素線３４ａ間に入り込むことが防止される。その結果、ガイドワイヤ１０の先端部が捕捉されることがほとんどなく、狭窄部を通過する際の通過性を充分に確保することができる。
【００３４】
なお、コイル体３０を形成する材料は、特に限定されるものでは無いが、放射線不透過性の素線、又は放射線透過性の素線を用いることができる。放射線不透過性の素線の材料としては、特に限定されるものではないが、例えば、金、白金、タングステン、又はこれらの元素を含む合金（例えば、白金−ニッケル合金）等を使用することができる。また、放射線透過性の素線の材料としては、特に限定されるものではないが、例えば、ステンレス鋼（ＳＵＳ３０４やＳＵＳ３１６等）、Ｎｉ−Ｔｉ合金等の超弾性合金、ピアノ線等を使用することができる。
【００３５】
[第２実施形態]
次に、本発明のガイドワイヤの第２実施形態について、図２を用いて説明する。図２において、左側が体内に挿入される先端側であり、右側が医師等の手技者によって操作される基端側である。なお、本図は、ガイドワイヤを模式的に図示したものであり、撚線の断面形状を含め、実際の寸法比とは異なるものとする。
【００３６】
上述した第１実施形態においては、コイル体として、素線が螺旋状に巻回されてなる単条コイルを採用した。これに対し、第２実施形態のガイドワイヤ１００は、湾曲部１３４を形成する第１コイル部１４０と直線部１３２を形成する第２コイル部１５０とを備えるコイル体１３０を有しており、湾曲部１３４を形成する第１コイル部１４０は、複数の素線１４２ａ，１４２ｂを撚り合わせた撚線１４２を螺旋状に複数本巻回することで形成されている。
【００３７】
より詳しくは、図２及び図３に示すように、湾曲部１３４を形成する第１コイル部１４０は、芯線１４２ａと芯線１４２ａの外周を覆うように巻回されてなる６本の側線１４２ｂとからなる撚線１４２が、螺旋状に複数本（本実施形態においては８本）巻回されてなる。
【００３８】
なお、芯線１４２ａ及び側線１４２ｂを形成する材料としては、特に限定されるものではなく、例えばマルテンサイト系ステンレス、フェライト系ステンレス、オーステナイト系ステンレス、オーステナイト、フェライト二相ステンレス又は析出硬化ステンレス等のステンレス、Ｎｉ−Ｔｉ合金等の超弾性合金、Ｘ線などの放射線不透過性金属である白金、金、タングステン、タンタル、イリジウム又はこれらの合金等が挙げられる。
【００３９】
上述したように、本実施形態のガイドワイヤ１００においては、湾曲部１３４を形成する第１コイル部１４０が、複数の素線１４２ａ，１４２ｂを撚り合わせた撚線１４２を螺旋状に複数本巻回して形成されている。このような構成を有する湾曲部１３４においては、撚線１４２同士が強固に密接しているため、湾曲部１３４を形成するに際しても撚線１４２同士が離間することがなく隙間が発生し難い。
【００４０】
これにより、湾曲部１３４における病変部の破片等の侵入が確実に防止される。その結果、ガイドワイヤ１００の先端部が病変に捕捉されることがほとんどなく、狭窄部を通過する際の通過性を充分に確保することができる。
【００４１】
また、ガイドワイヤ１００の先端部分（湾曲部１３４）に応力が生じた際には、撚線１４２間に加えてその撚線１４２を形成する素線１４２ａ，１４２ｂ間においても相対的に微小な移動が可能であるため、自由度があり、柔軟性が高いうえ、塑性変形し難く、良好な復元性が確保される。その結果、３次元に複雑に屈曲する血管においても高い追従性及び選択性が得られる。さらに、ガイドワイヤ１００の先端部分が硬度の高い病変部に衝突したとしても、その際の応力負荷によって折れ曲がってしまうことがなく、継続的な使用が可能となる。
【００４２】
一方、直線部１３２を形成する第２コイル部１５０は、素線が螺旋状に巻回されてなる単条コイルにより形成されている。第２コイル部１５０を形成する材料は、特に限定されるものでは無いが、放射線不透過性の素線、又は放射線透過性の素線を用いることができる。放射線不透過性の素線の材料としては、特に限定されるものではないが、例えば、金、白金、タングステン、又はこれらの元素を含む合金（例えば、白金−ニッケル合金）等を使用することができる。また、放射線透過性の素線の材料としては、特に限定されるものではないが、例えば、ステンレス鋼（ＳＵＳ３０４やＳＵＳ３１６等）、Ｎｉ−Ｔｉ合金等の超弾性合金、ピアノ線等を使用することができる。
【００４３】
そして、第１コイル部１４０の基端と、第２コイル部１５０の先端とは中間接合部１６０を介して接合されている。なお、この中間接合部１６０を形成する材料としては特に限定されないが、例えば、Ｓｎ−Ｐｂ合金、Ｐｂ−Ａｇ合金、Ｓｎ−Ａｇ合金、Ａｕ−Ｓｎ合金等の金属ロウが挙げられる。
【００４４】
[第３実施形態]
次に、本発明のガイドワイヤの第３実施形態について、図４を用いて説明する。図４において、左側が体内に挿入される先端側であり、右側が医師等の手技者によって操作される基端側である。なお、本図は、ガイドワイヤを模式的に図示したものであり、撚線の断面形状を含め、実際の寸法比とは異なるものとする。
【００４５】
上述した第２実施形態においては、コイル体の湾曲部のみを、複数の素線を撚り合わせた撚線を螺旋状に複数本巻回してなる構成とした。これに対し、第３実施形態のガイドワイヤ２００においては、湾曲部２３４のみではなく直線部２３２においても、複数の素線を撚り合わせた撚線２４２を螺旋状に複数本巻回してなる構成とした。すなわち、本実施形態においては、コイル体２３０は、その全体に亘り、複数の素線２４２ａを撚り合わせた撚線２４２を螺旋状に複数本巻回してなる構成を有する。なお、コイル体２３０の構成は、上述した第２実施形態の第１コイル部と同様である。
【００４６】
これによれば、第２実施形態と同様、撚線２４２同士が密接しているため、湾曲部２３４を形成する際に隙間が発生し難い。特に、本実施形態のコイル体２３０は、その全体に亘り、複数の素線２４２ａを撚り合わせた撚線２４２を螺旋状に複数本巻回してなる構成を有しているため、直線部２３２と湾曲部２３４との境界箇所Ｋに位置する撚線同士が強固に圧接し合うこととなる。
【００４７】
すなわち、湾曲部２３４を形成する際に隙間が生じやすい箇所（直線部２３２と湾曲部２３４との境界箇所Ｋ）においても、そうした隙間の発生を効果的に防止することができ、病変部の破片等の侵入を確実に防止することができる。その結果、ガイドワイヤ２００の先端部が病変に捕捉されることがほとんどなく、狭窄部を通過する際の通過性を充分に確保することができる。
【００４８】
さらに、コイル体２３０の基端部分（直線部２３２）においては、回転力が加えられた際には素線２４２ａ同士が締め付けられると同時に撚線２４２同士も互いに締め付けられて接触圧が増加し、密着性が高められる。その結果、トルク伝達性が向上し、ガイドワイヤ２００の良好な通過性が確保される。
【００４９】
ここで、図５を用いて本実施形態の湾曲部２３４及びその近傍箇所の構成について詳細に説明する。
【００５０】
図５に示すように、湾曲部２３４を形成する第１撚線２５２の撚り角θ１は、直線部２３２を形成する第２撚線２６２の撚り角θ２よりも大きい。これによれば、ガイドワイヤ２００の先端部を湾曲させたとき、湾曲部２３４を形成する第１撚線２５２が鉛直方向に沿って立ち上がり、直線部２３２を形成する第２撚線２６２を軸線方向Ｎにおいて圧接することとなる。
なお、第１撚線２５２の撚り角θ１とは、直線部２３２の軸線方向Ｎと、第１撚線２５２の巻回方向とがなす、鋭角側の角度であり、第２撚線２６２の撚り角θ２とは、直線部２３２の軸線方向Ｎと、第２撚線２６２の巻回方向とがなす、鋭角側の角度である。後述する実施形態においても同様である。
【００５１】
すなわち、ガイドワイヤ２００の先端部を湾曲させたときに隙間が形成されやすい箇所（直線部２３２と湾曲部２３４との境界箇所Ｋ）においても、撚線２５２，２６２同士の接触を確保することが可能となる。
【００５２】
そして、湾曲部２３４を形成する第１撚線２５２同士は略平行に配置されてなる部分Ｘを有している。すなわち、湾曲部２３４を形成する第１撚線２５２が隣り合う第１撚線２５２に対して相対的にずれて離間することが防止されており、湾曲部２３４を形成する撚線２５２間に隙間が形成されていない。
【００５３】
これにより、湾曲部２３４を形成する第１撚線２５２間に病変部の破片等が入り込むことが防止されるため、ガイドワイヤ２００の先端部が捕捉されることがほとんどなく、狭窄部を通過する際の良好な通過性が確保される。
【００５４】
さらに、湾曲部２３４においては、隣接する第１撚線２５２同士が圧接されている。これによれば、ガイドワイヤ２０の湾曲部２３４を形成する第１撚線２５２間における隙間の発生が確実に防止される。
【００５５】
[第４実施形態]
次に、本発明のガイドワイヤの第４実施形態について、図６を用いて説明する。図６において、左側が体内に挿入される先端側であり、右側が医師等の手技者によって操作される基端側である。なお、本図は、ガイドワイヤを模式的に図示したものであり、撚線の断面形状を含め、実際の寸法比とは異なるものとする。
【００５６】
第４実施形態のガイドワイヤ３００においては、コイル体３３０の直線部３３２の径が湾曲部３３４側（先端側）に向かうに従って細くなる。すなわち、直線部３３２において、湾曲部３３４側（先端側）に位置する箇所の外径α１は、手元側（基端側）に位置する箇所の外径α２よりも小さい。
【００５７】
これによれば、図７に示されるように、直線部３３２を形成する第２撚線３６２の撚り角θ２が湾曲部３３４側（先端側）に向かうにつれて徐々に小さくなり、湾曲部３３４を形成する第１撚線３５２を基端側から圧接するようになる。
【００５８】
すなわち、図６及び図７に示されるように、湾曲部３３４と直線部３３２との境界部分Ｌにおいて撚線３５２，３６２同士が強固に圧接し合うこととなる。その結果、ガイドワイヤ３００の先端部を湾曲させたときに隙間が形成されやすい箇所（直線部３３２と湾曲部３３４との境界箇所Ｌ）においても、撚線３４２（３５２，３６２）間における隙間の発生をより確実に防止することができる。
【００５９】
また、本実施形態においては、湾曲部３３４の根元箇所の径が最も細くなり、これに伴って湾曲部３３４の柔軟性が高められる。従って、３次元に複雑に曲折する血管内においても、ガイドワイヤ３００の先端部の血管追従性や血管選択性を充分に確保することができる。
【００６０】
加えて、本実施形態におけるガイドワイヤ３００の直線部３３２においては、先端側から基端側へと径が太くなるため、押込み操作を伴う場合には血管壁等に対する摺動抵抗が基端側へ向かうにつれて大きくなる。このため、仮にガイドワイヤ３００の先端部分（湾曲部３３４）が血管壁を貫通して血管外へと突き出され、その後も操作を継続している場合には、血管壁（貫通穴の壁）に対する直線部３３２の摺動抵抗が次第に大きくなることでそうした触感が操作者の手元に伝達され得る。
【００６１】
その結果、ガイドワイヤ３００の押込み操作を一旦中断し、正規の血管内へと同ガイドワイヤ３００の先端部分を再度導入することが容易となる。すなわち、本実施形態のガイドワイヤ３００によれば、安全且つ正確に目的部位への挿入が可能になる。さらに、この場合、先端側に向かうに従って外径が小さくなるコイル体を用いることで、押込み操作に際しての血管壁等に対する摺動抵抗が基端側へ向かうにつれて一層大きくなり、ガイドワイヤの押込み操作に伴う触感が操作者の手元に容易に伝達されるようになる。
【符号の説明】
【００６２】
１０，１００，２００，３００・・・ガイドワイヤ
２０・・・コアシャフト
３０，１３０，２３０，３３０・・・コイル体
３２，１３２，２３２，３３２・・・直線部
３４，１３４，２３４，３３４・・・湾曲部
１４２ａ，１４２ｂ・・・素線
１４２，２４２，３４２・・・撚線
２５２，３５２・・・第１撚線
θ１・・・第１撚線の撚り角
２６２，３６２・・・第２撚線
θ２・・・第２撚線の撚り角
【図１】
2015171519.tif 000003
【図２】
2015171519.tif 000004
【図３】
2015171519.tif 000005
【図４】
2015171519.tif 000006
【図５】
2015171519.tif 000007
【図６】
2015171519.tif 000008
【図７】
2015171519.tif 000009